(57)【要約】      （修正有）【課題】看護士が、術者が使用する塗布用具に直接手を触れることなく、薬液を充填可能な用具を提供すること。【解決手段】  シリンジ１または薬液を貯留する部材（シリンジと同等の機能を有する部材）と前記の周囲を囲むケース、ケースにシリンジ１または薬液を貯留する部材あるいはシリンジ１を保持するホルダー２を固定する手段とシリンジ１または薬液を貯留する部材に連通する流路手段７が付設されていることを特徴とする薬液充填器具。【選択図】  図１
2006075415.tif 000002
【特許請求の範囲】
【請求項１】
一つ以上のシリンジと前記シリンジの周囲を囲むカバー、前記カバーに前記シリンジあるいは前記シリンジを直接あるいは間接的に固定する手段と前記シリンジに連通する流路手段が付設されており、前記流路手段に連通する針部と薬剤瓶等を固定するホルダー、シリンジのプランジャーを直接あるいは間接的に操作可能な手段が付設されていることを特徴とする薬液充填器具。
【請求項２】
針部に流路手段に連通する流路以外に1つ以上の流路を付設し、前記流路の一部にフィルターを付設したことを特徴とする請求項１の薬液充填器具。
【請求項３】
シリンジのプランジャーを直接あるいは間接的に操作可能な手段が2つ以上の部材からなるカバーとカバーに付設された固定部とその他のカバーにスライド可能に付設され、シリンジのプランジャーを直接あるいは間接的に係り止するロックが付設されていることを特徴とする請求項１または２の薬液充填器具。
【請求項４】
シリンジのプランジャーを直接あるいは間接的に操作可能な手段が、カバーに付設されたスリットと、シリンジのプランジャーを直接あるいは間接的に係り止するレバーが付設されていることを特徴とする請求項１、２または３の薬液充填器具。
【発明の詳細な説明】
【技術分野】
【０００１】
本発明は、医療関係者が手術現場で使用する器具に薬液を清潔かつ簡便に充填する薬液充填器具に関する。
【背景技術】
【０００２】
フィブリン接着剤はフィブリノゲンとトロンビン製剤を基本成分とするフィブリノゲンの血液凝固カスケード反応を利用した組織接着剤である。外科手術において肝臓または脾臓のような軟部器官の縫合代用の接着剤として、または縫合補助剤として使用されている。同時に、幅広い臨床の現場で応用されている。
【０００３】
フィブリン接着剤の多くはフィブリノゲンとトロンビンの2製剤からなり、それぞれ凍結乾燥された状態でバイアルビンに保存されているものが多くキットは凍結乾燥したバイアルと溶解液のバイアルの合計4本から構成される。フィブリン接着剤は溶解して使用するため、フィブリン接着剤を使用するためには事前に調製作業が必要である。
【０００４】
調製作業は具体的には  １．フィブリノゲンの溶解液をバイアルビンから抜き取る。  ２．その後凍結乾燥されたフィブリノゲンのバイアルに注入する。  ３．良くバイアルビンを振って溶解させる。これと並列的にトロンビンについても同様の作業を行う。４．溶解したそれぞれの製剤をシリンジに抜き取る。  ５．噴霧用の用具にシリンジをセットする。非常に煩雑な工程である為、手術中の医者や助手が手を止めて調製作業を行うことができない。また、部品点数が多く調製作業にはある程度の作業場が必要なことから、調製作業は手術をアシストする看護士が行うことが多い。この煩雑な工程を簡略化する為、バイアルビンの溶解液を凍結乾燥製剤に移す両頭針が提案されている。（文献１）
【０００５】
この両頭針を使用すると、シリンジに針を嵌めバイアルビンを穿刺し、溶解液を抜き取り凍結乾燥製剤に注入するといった工程を一度に行えるため、調製作業は簡略化され調製時間は短縮される。しかしながら煩雑な工程は一つではない。最も煩雑な工程は、溶解した製剤を術者が使用するシリンジに充填する作業である。看護士は簡単な消毒作業を行うが、術者や助手と同程度の清潔度はない。このため、看護士は術者が使用するシリンジに触ることができない。また同様に術者は看護士が触ったバイアルビンを触ることができない。もし両者が接触すると術者は清潔度を失う為、再度手洗いし術衣を交換する必要がある。そのため両者は一つの作業を協力して行わなければならず、実際の現場では看護士が溶解したバイアルビンを持ち構え、術者あるいは助手がお互いに接触しないよう気をつけながら針をつけたシリンジでバイアルビンを穿刺し、溶解液を吸引する方法が行われている。空中での非常に不安定な作業であるためお互い接触したり、術者あるいは助手が看護士の手を誤って穿刺してしまう問題があった。またフィブリン接着剤だけではなく、術者が術中に使用するシリンジに薬液を充填する際には同様の問題があった。
【０００６】
【非特許文献１】島田  慈彦、新薬と臨床  J.New Rem. & Clin.  Vol.51  No.1  2002
【発明の開示】
【発明が解決しようとする課題】
【０００７】
本発明は、従来のこのような問題点を解決することを目的とするもので、看護士が術者が使用する塗布用具に直接手を触れることなく、薬液を充填可能な用具を提供するものである。
【課題を解決するための手段】
【０００８】
即ち本発明は、
１．一つ以上のシリンジと前記の周囲を囲むカバー、カバーにシリンジあるいはシリンジを直接あるいは間接的に固定する手段とシリンジに連通する流路手段が付設されており、流路手段に連通する針部と薬剤瓶等を固定するホルダー、シリンジのプランジャーを直接あるいは間接的に操作可能な手段が付設されていることを特徴とする薬液充填器具、
２． 針部に流路手段に連通する流路以外に1つ以上の流路を付設し、前記流路にフィルターを付設したことを特徴とする１の薬液充填器具、
３．シリンジのプランジャーを直接あるいは間接的に操作可能な手段が2つ以上の部材からなるカバーとカバーに付設された固定部とその他のカバーにスライド可能に付設され、シリンジのプランジャーを直接あるいは間接的に係り止するロックが付設されていることを特徴とする１または２の薬液充填器具、
４．シリンジのプランジャーを直接あるいは間接的に操作可能な手段が、カバーに付設されたスリットと、シリンジのプランジャーを直接あるいは間接的に係り止するレバーが付設されていることを特徴とする１、２または３の薬液充填器具、
である。
【発明の効果】
【０００９】
以上に述べた如く、本発明による薬液充填器具は不潔域の看護士でも簡便に術者使用部分に直接触れることなく薬液をシリンジ内に充填することが可能である。煩雑であった工程が単純化され、看護士ばかりでなく術者が調製作業に必要とする時間を短縮することができる。また、極めて不安定であった術者と看護士の薬液を充填する共同作業が不要となったため、術者と看護士の接触がなくなり、清潔域と不潔域の区分けが明確になった他、術者による誤穿刺を完全になくすることができる。
【発明を実施するための最良の形態】
【００１０】
以下、図面を基に本発明について詳細に説明する。図１、２は本発明の一実施例となる薬液充填器具の構造を示す立体斜視図であり、図３〜６は薬液を充填する状態を示す。更に図７は本発明の一実施例となる別の実施例を示し、図８〜１０は薬液を充填する状態を示す。
【００１１】
（薬液充填用具の構造）
図１、２の構造を説明する。薬液充填用具は術者使用部分とその他の部分に大別できる。術者使用部分は、少なくとも薬液を充填するシリンジ（１）から構成され、シリンジ（１）を固定するシリンジホルダー（２）、シリンジ（１）のプランジャーを固定するプランジャーホルダー（３）を含む。カバー１（４）、カバー２（５）は術者使用部分に直接汚染物（不潔域の人間の手など）が接触することを防ぐ。カバー１（４）にはプランジャーホルダー（３）を係り止めしカバー１（４）にスライド可能に取り付けられるレバー（６）と薬液をシリンジ（１）に導入する流路手段（７）が付設される。また、流路手段（７）に連通する針部（８）、薬剤瓶等を固定するホルダー（９）が付設される。
【００１２】
（カバー１）
カバー１（４）は術者使用部分をカバー２（５）とで囲い汚染物（不潔域の人間の手など）が直接接触することを防ぐような形状とする。カバー１（４）の長さはシリンジ（１）のプランジャーを引っ張った状態でも術者使用部分を完全に覆うことのできるような大きさが好ましい。カバー１（４）にはカバー２（５）が取り外し又は開閉可能に固定される。カバー２（５）は薬液充填操作が終了するまでカバー１（４）との固定状態が失われてはならない。簡単に外れない構造が望ましく、簡単な係り止め手段を付設することが望ましい。カバー１（４）にはシリンジ（１）のプランジャーをスライドできるように、シリンジ（１）もしくはシリンジホルダー（２）を固定する固定部（４１）を付設することが望ましい。固定部（４１）は単独で固定可能としてもよいが、シリンジ（１）の注入口との２点で固定する方が固定状態が安定しており望ましい。カバー１（４）にはシリンジ（１）のプランジャーを直接あるいはプランジャーホルダー（３）を介して操作できるようなレバー（６）が付設され、レバー（６）がスライドするスリット（４２）が付設される。このスリット（４２）には内部へ異物が落下しないように弾性素材のシール手段が付設されていることが望ましい。シール手段はシリコーンゴム製のシートに切れ込みを付設したものでも良いし、伸縮性の良い材質によりシート状の部材を作製し、レバー（６）とカバー１（４）のスリット（４２）にレバー（６）がスライドしても完全にスリット（４２）の隙間を覆うように付設してもよい。カバー１（４）には薬剤をシリンジ（１）内に導入する流路手段（７）が付設される。流路手段（７）はカバー１（４）にスライド可能に付設される方が、薬液充填後の取り出し作業が容易となり好ましい。カバー１（４）は合成樹脂材料から作製されることが安価で軽量となるため好ましく、ポリ塩化ビニル樹脂、ABS樹脂、ポリエチレン樹脂、ポリカボーネート樹脂等が好ましい。薬液の充填具合が目で確認できるように、透明性の良い材料が好ましい。
【００１３】
（カバー２）
カバー２（５）は術者使用部分をカバー１（４）とで囲い汚染物（不潔域の人間の手など）が直接触することを防ぐような形状とする。カバー２（５）は薬液充填操作が終了するまでカバー１（４）との固定状態が失われてはならない為、簡単に外れない構造が望ましく、簡単な係り止め手段を付設することが望ましい。カバー２（５）は合成樹脂材料から作製されることが安価で軽量となるため好ましく、ポリ塩化ビニル樹脂、ABS樹脂、ポリエチレン樹脂、ポリカボーネート樹脂等が好ましい。薬液の充填具合が目で確認できるように、透明性の良い材料が好ましい。
【００１４】
（レバー）
レバー（６）はシリンジ（１）のプランジャーあるいはプランジャーホルダー（３）に係り止めし、カバー１（４）にスライド可能に付設される。
レバー（６）は合成樹脂材料から作製されることが安価で軽量となるため好ましく、ポリ塩化ビニル樹脂、ABS樹脂、ポリエチレン樹脂、ポリカボーネート樹脂等が好ましい。
【００１５】
（流路手段）
流路手段（７）はシリンジ（１）とバイアルビンなどの薬剤容器を連通する。流路手段（７）にはシリンジ（１）の注入口のオステーパーと対応した傾斜を持つシリンジ嵌合部（７１）が付設され、シリンジ（１）は液密に嵌合される。流路手段（７）の他端には薬剤容器に液密に嵌合するコネクター類あるいは、針（プラスチック針を含む）が付設されることが好ましい。前記部分には薬剤が接触するため、直接手で触れないようにキャップが付設されることが好ましい。
【００１６】
（針部）
針部（８）は流路手段（７）に連通して付設される。針部（８）は薬剤の充填されたバイアルビンの口元のゴム栓を穿刺する。針の長さはバイアルビンの口元のゴム栓を貫通する長さが必要であり、１０ｍｍ以上であることが好ましい。レバー（６）を操作して、シリンジ（１）に薬液を充填する際にバイアルビン内が減圧され、充填操作の抵抗が増加することを抑制するために針部（８）には流路手段（７）に連通する第一の流路（８１）とは別の第二の流路（８２）を付設して２つ以上の流路を持つ構造とした方が好ましい。更に好ましくは第二の流路（８２）の一部にはフィルター（１５）を付設して外部の細菌が薬液内に侵入することを防ぐ構造としたほうが好ましい。針部（８）は合成樹脂材料から作製されることが安価で軽量となるため好ましく、ポリ塩化ビニル樹脂、ABS樹脂、ポリエチレン樹脂、ポリカボーネート樹脂、ポリスルフォン樹脂等が好ましい。
【００１７】
（ホルダー）
ホルダー（９）は針部（８）の周囲に付設され、薬剤が充填されたバイアルビン等の首基を固定する。ホルダー（９）にはバイアルビンの口元を固定するフック（９１）が付設されることが好ましい。ホルダー（９）は合成樹脂材料から作製されることが安価で軽量となるため好ましく、ポリ塩化ビニル樹脂、ABS樹脂、ポリエチレン樹脂、ポリカボーネート樹脂等が好ましい。
【００１８】
（フィルター）
フィルター（１５）は第二の流路（８２）の一部に付設される。フィルターは針部の第二の流路（８２）の一部に付設してもよいが、針部（８）をホルダー（９）に取り付ける場合は針部（８）の第二の流路（８２）に連通するホルダー（９）の流路の一部にフィルター（１５）を付設してもよい。フィルター（１５）はバイアルビン内の薬液をシリンジ（１）に吸引する場合にバイアルビン内に外部の異物が侵入し、薬液内に混入することを防止する。フィルター（１５）は細菌を通さない孔径であることが好ましい。
次に実際の操作に即して操作方法と作動原理を述べる。
【００１９】
（看護士の作業）
１．移注針等を使用し凍結乾燥製剤を溶解させる。
２．溶解が終了したバイアルビンを流路手段（７）に取り付ける。バイアルビンの場合は    ゴム栓を下にして、流路手段（７）に付設されている針部（８）でゴム栓を穿刺し貫    通させる。（図３）
３．レバー（６）を操作し、シリンジ（１）内に薬液を充填する。シリンジ（１）はシリ    ンジホルダー（２）に固定されており、シリンジホルダー（２）はカバー１（４）の    固定部（４１）に固定されている。レバー（６）をスライドさせると、レバー（６）    はシリンジ（１）のプランジャーもしくはプランジャーホルダー（３）に係り止めさ    れ、シリンジ（１）のプランジャーが固定部（４１）を支点としてスライドし、薬剤    が流路手段（７）を通り、シリンジ（１）に充填される。（図４）
４．流路手段（７）をスライドさせ、シリンジ（１）をシリンジ嵌合部から取り外す。シ    リンジ（１）は固定部（４１）に固定されており、流路手段（７）はスライド可能に    付設されているため、流路手段（７）をスライドするとシリンジ（１）の注入口を嵌    合状態から解除し、シリンジ（１）を取り外すことができる。（図５）
５．カバー２（５）を取り外す。カバー２（５）は、カバー１（４）に簡単な係り止め状態で嵌合しているため、ツメを外す操作等で簡単に取り外すことができる。（図６）
【００２０】
（術者又は助手：清潔域の人間の作業）
６．薬液の充填されたシリンジ（１）を取り出す。シリンジ（１）はカバー２（５）の内    側に何処にも拘束されていない状態となっているため取り出すことができる。
次に図７、８の構造を説明する。図９には流路の詳細が分かるように図７のＡ断面を示した。薬液充填用具は術者使用部分とその他の部分に大別できる。術者使用部分は、少なくとも薬液を充填するシリンジ（１）から構成され、シリンジ（１）を固定するシリンジホルダー（２）、シリンジ（１）のプランジャーを固定するプランジャーホルダー（３）を含む。その他の部分は、術者使用部分に汚染物（不潔域の人間の手など）が直接接触することを防ぐスライドカバー１（１０）、スライドカバー２（１１）、プランジャーホルダー（３）を係り止めしスライドカバー１（１０）にスライド可能に取り付けられるロック（１２）、スライドカバー２（１１）に取り付けられ、術者使用部分の固定状態を解除するロッド（１３）、薬液をシリンジ（１）に導入する流路手段（７）を含む。流路手段（７）に連通する針部（８）、薬剤瓶の口元を固定するホルダー（９）を含む。
【００２１】
（スライドカバー１）
スライドカバー１（１０）は術者使用部分をスライドカバー２（１１）とで囲い汚染物（不潔域の人間の手など）が直接接触することを防ぐ。スライドカバー１（１０）はスライドカバー２（１１）の外側を覆うような有低筒状の形状とし、スライドカバー２（１１）がスライドできるような形状とする。スライドカバー１（１０）の大きさはシリンジ（１）のプランジャーを引っ張った状態でも完全にシリンジ（１）をスライドカバー２（１１）とで覆う大きさとすることが好ましい。スライドカバー１（１０）にはシリンジ（１）のプランジャーもしくはシリンジホルダー（２）を固定するロック（１２）を付設することが望ましい。スライドカバー１（１０）にはロッド（１３）が付設される。スライドカバー１（１０）は合成樹脂から作製されることが安価で軽量となるため好ましく、ポリ塩化ビニル樹脂、ABS樹脂、ポリエチレン樹脂、ポリカボーネート樹脂等が好ましい。薬液の充填具合が目で確認できるように、透明性の良い材料が好ましい。
【００２２】
（スライドカバー２）
スライドカバー２（１１）は術者使用部分をスライドカバー１（１０）とで囲い汚染物（不潔域の人間の手など）が直接接触することを防ぐ。スライドカバー２（１１）はスライドカバー１（１０）の内側に挿入される有低筒状の形状とし、スライドカバー１（１０）の内部をスライドできるような形状とする。スライドカバー２（１１）にはシリンジ固定部（１１１）が付設される。シリンジ固定部（１１１）はシリンジ（１）のプランジャーをスライドさせる際の支点となる。また、シリンジ（１）が流路手段（７）のシリンジ嵌合部から脱落することを防止する。スライドカバー２（１１）には薬剤をシリンジ（１）内に導入する流路手段（７）が付設される。スライドカバー２（１１）にはホルダー（９）が付設されることが好ましい。ホルダー（９）が付設されない場合は、バイアルビンのゴム栓を穿刺するための針が付設できるようなコネクターを流路手段（７）の一部に付設することが好ましい。スライドカバー２（１１）は合成樹脂材料から作製されることが安価で軽量となるため好ましく、ポリ塩化ビニル樹脂、ABS樹脂、ポリエチレン樹脂、ポリカボーネート樹脂等が好ましい。薬液の充填具合が目で確認できるように、透明性の良い材料が好ましい。
【００２３】
（流路手段）
流路手段（７）はシリンジ（１）とバイアルビンなどの薬剤容器を連通する。流路手段（７）にはシリンジ（１）の注入口のオステーパーと対応した傾斜を持つシリンジ嵌合部（７１）が付設され、シリンジ（１）は液密に嵌合される。流路手段（７）の他端には針部（８）又は、薬剤容器に液密に嵌合するコネクター類が付設されることが好ましい。前記部分には薬剤が接触するため、直接手で触れないようにキャップが付設されることが好ましい。流路手段（８）は流路を成形品一つで形成してもよいし、チューブ（７２）等で針部（８）と接続してもよい。
【００２４】
（ロック）
ロック（１２）はスライドカバー１（１０）に可動に付設される。ロック（１２）はスライドカバー１（１０）の一部を貫通した形で付設され、ロック（１２）の位置により、ロック（１２）の足部（１２１）でシリンジ（１）のプランジャーもしくはプランジャーホルダー（３）を係り止め状態から自由な状態に移行できるように付設すること好ましい。ロック（１２）は合成樹脂材料から作製されることが安価で軽量となるため好ましく、ポリ塩化ビニル樹脂、ABS樹脂、ポリエチレン樹脂、ポリカボーネート樹脂等が好ましい。
【００２５】
（ロッド）
ロッド（１３）はスライドカバー１（１０）の内部に付設される。ロッド（１３）には該Ｌ字状の係り止め部（１３１）が付設されている。薬液を充填する際にロッド（１３）の係り止め部（１３１）は必要量薬液を充填したら、スライドカバー２（１１）のシリンジ固定部（１１１）でシリンジ（１）の固定状態を解除するとともに術者使用部分をスライドカバー２（１１）から引き抜く機能を果たす。
【００２６】
（針部）
針部（８）は流路手段（７）に連通して付設される。針部（８）は薬剤の充填されたバイアルビンの口元のゴム栓を穿刺する。針の長さはバイアルビンの口元のゴム栓を貫通する長さが必要であり、１０ｍｍ以上であることが好ましい。レバー（６）を操作して、シリンジ（１）に薬液を充填する際にバイアルビン内が減圧され、充填操作の抵抗が増加することを抑制するために針部（８）には流路手段（７）に連通する第一の流路（８１）とは別の第二の流路（８２）を付設して２つ以上の流路を持つ構造とした方が好ましい。更に好ましくは第二の流路の一部にはフィルター（１５）を付設して外部の細菌が薬液内に侵入することを防ぐ構造としたほうが好ましい。針部（８）は合成樹脂材料から作製されることが安価で軽量となるため好ましく、ポリ塩化ビニル樹脂、ABS樹脂、ポリエチレン樹脂、ポリカボーネート樹脂、ポリスルフォン樹脂等が好ましい。
【００２７】
（ホルダー）
ホルダー（９）は針部（８）の周囲に付設され、薬剤が充填されたバイアルビン等の首基を固定する。ホルダー（９）にはバイアルビンの口元を固定するフック（９１）が付設されることが好ましい。ホルダー（９）は合成樹脂材料から作製されることが安価で軽量となるため好ましく、ポリ塩化ビニル樹脂、ABS樹脂、ポリエチレン樹脂、ポリカボーネート樹脂等が好ましい。
【００２８】
（フィルター）
フィルター（１５）は第二の流路（８２）の一部に付設される。フィルターは針部の第二の流路（８２）の一部に付設してもよいが、針部（８）をホルダー（９）に取り付ける場合は針部（８）の第二の流路（８２）に連通するホルダー（９）の流路の一部にフィルター（１５）を付設してもよい。フィルター（１５）はバイアルビン内の薬液をシリンジ（１）に吸引する場合にバイアルビン内に外部の異物が侵入し、薬液内に混入することを防止する。フィルター（１５）は細菌を通さない孔径であることが好ましい。
次に実際の操作に即して操作方法と作動原理を述べる。
【００２９】
（看護士の作業）
１．移注針等を使用し凍結乾燥製剤を溶解させる。
２．溶解が終了したバイアルビン（１４）をホルダー（９）に取り付ける。バイアルビン    （１４）のゴム栓は針部（８）により穿刺され貫通される。（図１０）
３．スライドカバー１（１０）を操作し、シリンジ（１）内に製剤を充填する。シリンジ    （１）はシリンジホルダー（２）に固定されており、シリンジホルダー（２）はスラ    イドカバー２（１１）のシリンジ固定部（１１１）に固定されている。スライドカバ    ー１（１０）をスライドさせると、ロック（１２）はシリンジ（１）のプランジャー    もしくはプランジャーホルダー（３）に係り止めされ、シリンジ（１）のプランジャ    ーがシリンジ固定部（１１１）を支点としてスライドし、薬剤が流路手段（７）を通    り、シリンジ（１）に充填される。（図１１）
４．更にスライドさせ、スライドカバー２（１１）を引き抜く。スライドカバー２（１１    ）のシリンジ固定部（１１１）の係り止め状態が解除され、ロッド（１３）の係り止    め部（１３１）がシリンジ（１）又はシリンジホルダー（２）を係り止め状態となる    ため、スライドカバー２（１１）からシリンジ（１）を引き抜くことができる。（図    １２）
５．ロック（１２）をスライドさせる。ロック（１２）をスライドさせると、シリンジ（    １）のプランジャーの係り止め状態は解除される。（図１３）
（助手：清潔域の人間の作業）
６．薬液の充填されたシリンジ（１）を取り出す。シリンジ（１）はスライドカバー１（    １０）の内側に何処にも拘束されていない状態となっているため取り出すことができ    る。
【産業上の利用可能性】
【００３０】
薬液充填器具をカバーで覆うことにより、看護士が簡便に術者使用部分に直接触れることなく薬液をシリンジ内に充填することが可能であるため、手術室で使用する医療器具に不潔域の人間が薬剤をシリンジ内に充填する分野において非常に有用である。
【図面の簡単な説明】
【００３１】
【図１】本発明の一実施例となる薬液充填器具を示す。
【図２】本発明の一実施例となる薬液充填器具を示す。
【図３】本発明の一実施例にバイアルビンをセットする様子を示す。
【図４】本発明の一実施例の薬剤を充填する様子を示す。
【図５】本発明の一実施例の流路手段をスライドさせ、シリンジの注入口の嵌合状態を解除した状態を示す。
【図６】本発明の一実施例のカバー１を取り外した状態を示す。
【図７】本発明の別の実施例の斜視図を示す。
【図８】図７の実施例の断面図を示す。
【図９】図８のＡ断面を示す。
【図１０】本発明の別の実施例にバイアルビンをセットした状態の断面図を示す。
【図１１】本発明の別の実施例で、スライドカバー１をスライドさせ、薬液をシリンジ内に充填する状態を示す。
【図１２】本発明の別の実施例で、シリンジ固定部の係り止め状態をロッドの係り止め部が解除する状態の断面図を示す。
【図１３】本発明の別の実施例で、ロックを操作して、プランジャーホルダーの係り止め状態を解除する状態を示す。
【符号の説明】
【００３２】
１      シリンジ
２      シリンジホルダー
３      プランジャーホルダー
４      カバー１
４１    固定部
４２    スリット
５      カバー２
６      レバー
７      流路手段
７１    シリンジ嵌合部
７２    チューブ
８      針部
８１    第一の流路
８２    第二の流路
９      ホルダー
９１    フック
１０    スライドカバー１
１１    スライドカバー２
１１１  シリンジ固定部
１２    ロック
１２１  足部
１３    ロッド
１３１  係り止め部
１４    バイアルビン
１５    フィルター
【図１】
2006075415.tif 000003
【図２】
2006075415.tif 000004
【図３】
2006075415.tif 000005
【図４】
2006075415.tif 000006
【図５】
2006075415.tif 000007
【図６】
2006075415.tif 000008
【図７】
2006075415.tif 000009
【図８】
2006075415.tif 000010
【図９】
2006075415.tif 000011
【図１０】
2006075415.tif 000012
【図１１】
2006075415.tif 000013
【図１２】
2006075415.tif 000014
【図１３】
2006075415.tif 000015